(57)【要約】      （修正有）【課題】動力源を用いずに、室内で洗濯物を乾燥させることができ、森林浴効果が期待でき、移動が可能な物干し用家庭家具を提供する。【解決手段】前面側にスリット入り杉材３を使用した開きドア４、又は引き違いドアを設け、直接日光の照射と空気の流入出によって洗濯物を容易に乾燥できるように、裏面側に透明性の材料の取り付けと空気流入口２〜４箇所の空間部とを設け、天板部１と下板部２の内面に調湿機能を持つ部材を取り付け、家具の側面５と天板と下板を内部が中空のフラッシュ構造にして、側面内部には遠赤外線を発する材料を塗布する。また、天板の直下中央にハンガー吊り下げ棒６を横設する。【選択図】図１
0003194202.tif 000002
【実用新案登録請求の範囲】
【請求項１】
物干し家具において、前面側にスリット入り杉材を使用した開きドア、又は引き違いドアにしていることと、直接日光の照射と空気の流入出によって洗濯物を容易に乾燥できるように、裏面側に透明性の材料の取り付けと空気流入口２〜４箇所の空間部とを設けていることと、天板部と下板部の内面に調湿機能を持つ部材を取り付けて、家具の側面と天板と下板をフラッシュ構造にして、家具の側面内部には遠赤外線を発する材料を塗布していることと、当該家具の天板の直下中央に横設したハンガー吊り下げ棒をとりつけて、底部に移動を可能にしたキャスターとを設けていることと、を特徴とするスリット杉材を使用した室内用物干し家具。
【請求項２】
スリット入り杉材を使用した開きドア、又は引き違いドアは、杉平面板材の杢目方向に３ｍｍ〜１０ｍｍの幅、３ｍｍ〜１０ｍｍの深さのスリット溝状で刻設して、前面側全体の３０％〜６０％で表面と裏面の両面にスリット溝状を縦横に施し、貫通開口部分を設けていることを特徴とする請求項１に記載のスリット杉材を使用した室内用物干し家具。
【請求項３】
スリット入り杉材を使用した開きドア、又は引き違いドアを前面側に備えた物干し家具において、裏面側に日光により乾燥できるように透明性の材料を使用して、空気流入口２〜４箇所の空間部として、裏面の面積に対して１０％〜５０％を開口されていることを特徴とする請求項１、又は請求項２に記載のスリット杉材を使用した室内用物干し家具。
【請求項４】
物干し家具において、日光照射により洗濯物が乾燥できるように裏面側に取り付けている透明性、又は半透明性の材料は、ガラス、アクリル樹脂、ポリカーボネート樹脂から選ばれた一種類であって、耐強度から厚さ３ｍｍ〜５ｍｍであることを特徴とする請求項１〜請求項３のいずれかに記載のスリット杉材を使用した室内用物干し家具。
【請求項５】
スリット入り杉材を使用した開きドア、又は引き違いドアを前面側に備えた物干し家具において、天板と下板に取り付けている乾燥部材は、可逆的に水分を除去できるゼオライト、活性炭、シリカ、珪藻土、漆喰、モイス（商標登録名）を平板に取り付けた木板であることを特徴とする請求項１〜請求項４のいずれかに記載のスリット杉材を使用した室内用物干し家具。
【請求項６】
スリット入り杉材を使用した開きドア、又は引き違いドアを前面に備えた物干し家具の側板、天板、下板において、内部を中空にしているフラッシュ構造にして、表面の板に樹脂を張った合板（ポリ合板）、又は桐材にして、当該家具の内面に動植物プランクトン化石でできている遠赤外線放射粒状物を塗布されていることを特徴とする請求項１〜請求項５のいずれかに記載のスリット杉材を使用した室内用物干し家具。
【請求項７】
スリット入り杉材を使用した開きドア、又は引き違いドアを前面に備えた物干し家具において、天板の直下中央に横設したハンガー吊り下げ棒は、スチール製、または樹脂製のパイプで、天板から５０ｍｍ〜１００ｍｍの位置に取り付けて、前記の位置から下部に２００ｍｍ〜３００ｍｍの間隔で２〜３箇所にハンガー吊り下げ棒を固定できる留め具を取り付け、底部に移動を可能にしたキャスターを設けていることを特徴とする請求項１〜請求項６のいずれかに記載のスリット杉材を使用した室内用物干し家具。
【請求項８】
スリット入り杉材を使用した開きドア、又は引き違いドアを前面に備えた物干し家具おいて、家具の奥行きを４５０ｍｍ〜６００ｍｍにして、ハンガーを斜めに懸けられるように、ハンガー吊り下げ棒に２０°〜４５°の角度にハンガーを懸けていることを特徴とする請求項１〜請求項７のいずれかに記載のスリット杉材を使用した室内用物干し家具。
【考案の詳細な説明】
【技術分野】
【０００１】本考案は、物干し洋服タンスとロッカーなどの家具に関するものであり、更に詳細には、一般家庭や、単身女性対象用マンション、住宅等での室内で洗濯物を乾燥させるもので、脳の活性化と窒素酸化物を含む空気の高効率の浄化に役立させ、屋内に設置して用いる物干し洋服タンスとロッカーに関するものである。
【背景技術】
【０００２】従来から、主として一般単身女性の住居であるマンション、住宅での洗濯物の乾燥は、洗濯機にて洗濯脱水をして室内の干し具で乾燥を行うことが一般であったが、晴天時等の湿度が高いときは室内で乾燥させようとしてもなかなか乾燥しにくく、特に共働き、単身女性のような留守がちの家庭では下着盗難、あるいは急な雨降りには対応できず、また、女性の下着等は外に干したくないものであり、更には、花粉症を患っている人は晴天でも外に干せないが実情である。【０００３】また、近年ではドラム式乾燥機や、洗濯機能と乾燥機能を併せ持つ機種が開発され市販されているが、乾燥に時間がかかったり、電気代がかかったりしており、また、洗濯した状態のまま乾燥させるためシワが残り、消費者のニーズを満足させるものでは無かった。一方部屋の森林浴を期待する向きもあり、多忙の中で精神的安定感を望むことも多い。特に脳の活性化或いは癒しと、都会の中の窒素酸化物を含む空気を浄化させる役立を杉材に期待されている。【０００４】衣服の物干し家具としては、送風器付乾燥機に送風手段と、吹き出し口を備えており、風速が速いゾーンを設けたもので、風速が速いゾーン内では、衣類にとって、重なり合った部分にも風を流すことができるものであるが、送風器の動力によって洗濯物をかわかしている（特許文献１参照）。【０００５】衣服の物干し家具としては、除湿機付ユニット型組立式衣料乾燥室であり、温度センサー付き排気ファン及び吸気口を付ける事により、電気の熱源によって乾燥室内部の温度上昇を防ぐものあるが、空気流は単に通り抜けるのみので、電気の熱源（ヒーター）によって衣服の乾燥をおこなっているものである（特許文献２参照）。
箱体内にファン付低湿空気流を循環させる除湿乾燥ユニットを備えて、上昇流と下降流を構成するものであるが、空気流は循環しているだけのもので、ファンの動力を使用しているために効率的とは言えないものである（特許文献３〜４参照）。しかし電気の動力源を使用しないものは存在しない。また杉の効果である森林浴を期待する向きもあり、多忙の中で精神的安定感を望むような家具を持つ部屋はもたらされていない。
【先行技術文献】
【特許文献】
【０００６】
【特許文献１】特開２００１−３４７１００号公報
【特許文献２】特開２００４−２８３３８０号公報
【特許文献３】特開２００５−３２９１０４号公報
【特許文献４】登録実案３１３５０８７号公報
【考案の概要】
【考案が解決しようとする課題】
【０００７】単身女性の住居であるマンション、住宅での洗濯物の乾燥は、洗濯機にて洗濯脱水をして室内の干し具で乾燥を行うことが一般であったが、晴天時等の湿度が高いときは室内で乾燥させようとしてもなかなか乾燥しにくく、特に共働き、単身女性のような留守がちな家庭では下着盗難、あるいは急な雨降りには対応できず、また、女性の下着等は外に干したくないものであり、更には、花粉症を患っている人は晴天でも外に干せないが実情である。従来の物干し家具の場合には、ほとんど電気の動力源を使用して、無人で使用することは安全面から問題があった。また部屋内において、脳の活性化、気分転換、癒しができて、部屋の汚染物質を含む空気を高い効率で浄化できる家具が期待されている。【０００８】室内で整頓して洗濯物を干して、独身女性にとって盗難などの心配をせずに洋服タンス、あるいはロッカーとして使用できるものである。また加熱部またはファンを取り付けず、割合短い期間で乾燥できるようにしている。一方単身の女性においては、部屋の森林浴を期待する向きもあり、多忙の中で精神的安定感を望むことも多い。特に脳の活性化或いは癒しと、都会の中の窒素酸化物を含む空気を浄化させる役立を杉材などの自然の木材に期待している。
【課題を解決するための手段】
【０００９】物干し家具において、前面側にスリット入り杉材を使用した開きドア、又は引き違いドアにしていることと、直接日光の照射と空気の流入出によって洗濯物を容易に乾燥できるように、裏面側に透明性の材料の取り付けと空気流入口２〜３箇所の空間部とを設けていることと、天板部と下板部の内面に調湿機能を持つ部材を取り付けて、家具の側面と天板と下板をフラッシュ構造にして、家具の側面内部には遠赤外線を発する材料を塗布していることと、当該家具の天板の直下中央に横設したハンガー吊り下げ棒をとりつけて、底部に移動を可能にしたキャスターとを設けているスリット杉材を使用した室内用物干し家具である。【００１０】スリット入り杉材を使用した開きドア、又は引き違いドアは、杉平面板材の杢目方向に３ｍｍ〜１０ｍｍの幅、３ｍｍ〜１０ｍｍの深さのスリット溝状で刻設して、前面側全体の３０％〜６０％で表面と裏面の両面にスリット溝状を縦横に施し、貫通開口部分を設けている。【００１１】スリット入り杉材を使用した開きドア、又は引き違いドアを前面側に備えた物干し家具において、裏面側に日光により乾燥できるように透明性の材料を使用して、空気流入口２〜４箇所の空間部として、裏面の面積に対して１０％〜５０％を開口されている。【００１２】物干し家具において、日光照射により洗濯物が乾燥できるように裏面側に取り付けている透明性、又は半透明の材料は、ガラス、アクリル樹脂、ポリカーボネート樹脂から選ばれた一種類であって、耐強度から厚さ３ｍｍ〜５ｍｍである。【００１３】スリット入り杉材を使用した開きドア、又は引き違いドアを前面側に備えた物干し家具において、天板と下板に取り付けている乾燥部材は、可逆的に水分を除去できるゼオライト、活性炭、シリカ、珪藻土、漆喰、モイス（商標登録名）を平板に取り付けた木板である。【００１４】スリット入り杉材を使用した開きドア、又は引き違いドアを前面に備えた物干し家具の側板、天板、下板において、内部を中空にしているフラッシュ構造にして、表面の板に樹脂を張った合板（ポリ合板）、又は桐材にして、当該家具の内面に動植物プランクトン化石でできている遠赤外線放射粒状物を塗布している。【００１５】スリット入り杉材を使用した開きドア、又は引き違いドアを前面に備えた物干し家具において、天板の直下中央に横設したハンガー吊り下げ棒は、スチール製、または樹脂製のパイプで、天板から５０ｍｍ〜１００ｍｍの位置に取り付けて、前記の位置から下部に２００ｍｍ〜３００ｍｍの間隔で２〜３箇所にハンガー吊り下げ棒を固定できる留め具を取り付け、底部に移動を可能にしたキャスターを設けている。【００１６】スリット入り杉材を使用した開きドア、又は引き違いドアを前面に備えた物干し家具おいて、家具の奥行きを４５０ｍｍ〜６００ｍｍにして、ハンガーを斜めに懸けられるように、ハンガー吊り下げ棒に２０°〜４５°の角度にハンガーを懸けている。【００１７】本考案の物干し用家庭家具は、前述の課題に鑑み、鋭意研鑽の結果、家具の裏面を日光を取り入れて、加熱部なして水分を除去できるようにしている。開きドア、又は引き違いドアを備えた洋服タンス、ロッカーにおいて、開きドア、又は引き違いドアの一側下方辺��形成した空気流入口と、仕切るように間隔を有して配設された木製ガラリ（複数のパウチング板）と、側板に横設したハンガー吊り下げ棒と、前面の複数のパウチング板と裏面の空間には空気流入口から流入して空気流出口で排気される間の空気流を上下と共に前後に流動させるように開口部を設けたものである。【００１８】使用可能な具体的なスギの種類としては、例えば、小国杉、屋久杉、飫肥杉、神代杉、春日杉、吉野杉、秋田杉、土佐杉、御山杉、霧島杉、市房杉、日光杉、北山杉、日田杉、天竜杉、などがある。【００１９】杉材の表面において、二酸化窒素は空気中の水分と反応して硝酸と亜硝酸になり、木材内部に沈着する。杉材の表面においては、この反応が極めて速い速度で進むため、杉が二酸化窒素を高い効率で浄化できると考えられる。杉材は、その内部に様々な微量成分を含有することが知られている。例えば、スギがジテルペン、トリテルペン、セスキテルペン、フラボノイド、リグナンなどを含有することが研究されている。このような杉の成分が、脳の活性化と窒素酸化物を含む空気の高効率の浄化に役立っていると考えられる。【００２０】また杉は一般に、長い繊維を有するが、木口面においては、その長い繊維の断面が露出されることになり、この断面から木材の深い部分にまで空気が入りやすい。このことも、窒素酸化物の浄化に役立っていると考えられる。【００２１】また針葉樹は一般に、仮導管が均一に配列し、木口面においては、その長い繊維の横断面が露出されることになり、この断面から木材の深い部分にまで空気が入りやすい。このことも、空気の浄化に役立っていると考えられる。スリット入り杉材は、平滑な略正方形又は略長方形の杉平面板材の大きさにして、裏面には３〜１０ｍｍの幅、３〜１０ｍｍの深さで溝状刻設して、表面には表面加工した平滑な杉板材にした付け替え天板を嵌め込み式平板体にして、既存天板との間に２〜５ｍｍの隙間を持って設置できる構造になっている。
【考案の効果】
【００２２】本考案の物干し家庭家具は、開きドア、又は引き違いドアを前面に備えた家具で、スイングドアを備えた洋服タンス、ロッカーに、裏面に日光光線の照射と家具内部に調湿材と遠赤外線照射材を取り付けて、さらに空気流入口と、表面に複数のガラリーを取り付けて乾燥を速めている。【００２３】また内部にハンガー吊り下げ棒と、空気流出口と、ガラリーによって空気流入口から流入して空気流出口で排気される間の空気流を上下と裏側に数箇所の排気口の開口部を設けたことにより、家具内の乾燥補助材と空気流を高効率で利用して乾燥させることが可能であり、且つ、ハンガーに吊した状態で乾燥させることができシワができにくく、また、共働きのような家庭では昼間に天気のよいときは、家具内の洗濯物は乾燥しており、加えて、梅雨や湿気の多い日にもハンガーに吊すだけによって約一日で乾燥できる。【００２４】また軽量で移動も簡単にでき、室内、室外の種々の場所に置くことができる画期的で実用性の高い考案である。特に独身女性が下着類の物干しの恥ずかしさと盗難防止しには効果を示した。また部屋内において、脳の活性化、気分転換、癒しができて、部屋の汚染物質を含む空気を高い効率で浄化できる。精神的安定感を、脳の活性化或いは癒しと、都会の中の窒素酸化物を含む空気を浄化させた。【００２５】表面に間伐材の杉の板を用いて資源のリサイクルに貢献でき、木材加工経費が安く済む点でも非常に有利である。また杉材のスリット溝構造は空気の浄化については、脳の活性化と環境改善によって作業の向上がもたらされる。汚染物質との吸着による浄化できる。そのうち、杉木口面との反応による浄化能力は、辺材、心材に関係なくほぼ一定の値で長時間持続される。
【図面の簡単な説明】
【００２６】
【図１】スリット入り杉材を使用した開きドア付き物干し用家庭家具（開きドア）の一般的の斜視図である。
【図２】スリット入り杉材を使用した開きドア付き物干し用家庭家具（開きドア）の使用状態図である。
【図３】スリット入り杉材を使用した開きドア付き物干し用家庭家具（開きドア）の正面図である。
【図４】物干し用家庭家具（開きドア）の背面図である。
【図５】物干し用家庭家具（開きドア）の側面図である。
【考案を実施するための形態】
【００２７】以下、本考案の物干しロッカーの実施例の図面によって具体的に説明すると、図１は本考案の物干し家庭家具（開きドア）の一般的の斜視図であり、図２は本考案の物干し用家庭家具（開きドア）の使用状態図であり、図３は本考案の物干し用家庭家具（開きドア）のの正面図で、図４は物干し用家庭家具（開きドア）の背面図で、図５は物干し用家庭家具（開きドア）の側面図である。
【実施例１】
【００２８】図１に示すように、天板は幅８００ｍｍ＊奥行４５０ｍｍの寸法で、厚さ４５ｍｍフラッシュ構造で、前面にスリット入り杉材を使用した無垢杉材を、側面には部分的にスリット入り杉材を使用した無垢杉材を貼りで、上部面にポリ板を、内側面に防湿機能を持つ合板モイス板を使用した。下板は幅７４８ｍｍ＊奥行４１３ｍｍの寸法で、厚さ３０ｍｍのフラッシュ構造で、内側面に防湿機能を持つ合モイスを、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを３箇所取り付けた。【００２９】裏面は、日光を取り入れるために、２箇所に幅６８８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３０】開き戸は、前面にスリット入り杉材を使用した無垢杉材、裏面半部にも反対方向のスリットを設けて、通気性が得られるようになっており、寸法として高さ１７００ｍｍ＊幅３９０ｍｍ＊厚さ２７ｍｍの寸法で、の順番で配置したものを二枚使用した。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【実施例２】
【００３１】実施例１と同様にして、開き戸を引き違いに変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つ合板モイスを使用した。下板は幅７４８ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを６箇所取り付けた。【００３２】裏面は、日光を取り入れるために、２箇所に幅６８８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３３】開き違い戸は、寸法として高さ１６８４ｍｍ＊幅３８９ｍｍ＊厚さ２７ｍｍの寸法のものを２枚取り付け、一枚の扉の上部よりスリット入り杉材を使用した無垢杉材、裏面半部にも反対方向のスリットを設けて、通気性が得られるようになっており、上段に片面に、下段に両面の順番で配置したものにした。部屋の内部の移動が簡単に出来るように，下板面に４個のキャスターを取り付けた。
本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【実施例３】
【００３４】実施例１と同様にして、高さを変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つ合板モイスを使用した。下板は幅７４８ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１４５５ｍｍ＊幅４１３ｍｍ＊厚さ２５ｍｍの寸法のフラッシュ構造で、側・内ともにポリ板を使用して、内部にはパイプ受けを６箇所取り付けた。【００３５】裏面は、日光を取り入れるために、２箇所に幅６８８ｍｍ＊高さ４２１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３６】開き戸は、スリット入り杉材を使用した無垢杉材、裏面半部にも反対方向のスリットを設けて、寸法として高さ１４００ｍｍ＊幅３９０ｍｍ＊厚さ２７ｍｍの寸法で、上部よりガラリー（幅２１０ｍｍ高さ１２０ｍｍ）、ミストガラス（幅２１０ｍｍ、高さ３８９ｍｍ）、固定桟（幅２１０ｍｍ、高さ６０ｍｍ）、ミストガラス（幅２１０ｍｍ、高さ３８９ｍｍ）、ガラリー（幅２１０ｍｍ高さ２４０ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【実施例４】
【００３７】実施例１と同様にして、裏面の構造を変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つ合板モイスを使用した。下板は幅７４３ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１４５５ｍｍ＊幅４１３ｍｍ＊厚さ２５ｍｍの寸法のフラッシュ構造で、側・内ともにポリ板を使用して、内部にはパイプ受けを６箇所取り付けた。【００３８】裏面は、日光を取り入れるために、２箇所に幅６８８ｍｍ＊高さ３８９ｍｍ＊厚さ４ｍｍのミストガラスを枠内に入れて固定した。また裏面の上段部（幅７４８ｍｍ＊高さ１９０ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３９】引き違い戸は、スリット入り杉材を使用した無垢杉材、裏面半部にも反対方向のスリットを設けて、寸法として高さ１３８４ｍｍ＊幅３９０ｍｍ＊厚さ２７ｍｍの寸法で、上部よりガラリー（幅２１０ｍｍ、高さ２１０ｍｍ）、ミストガラス（幅２０９ｍｍ、高さ３７７ｍｍ）、固定桟（幅２１０ｍｍ、高さ６０ｍｍ）、ミストガラス（幅２０９ｍｍ、高さ３７７ｍｍ）、ガラリー（幅２１０ｍｍ高さ２４０ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。この中に、単身の女性用に、タオル、下着、寝間着の７枚を干して、窓際においていたら、５時間後に完全に乾燥していた。
【実施例５】
【００４０】実施例１と同様にして、扉の前面のガラリーを変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つ合板モイスを使用した。下板は幅７４３ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを６箇所取り付けた。【００４１】裏面は、日光を取り入れるために、２箇所に幅６８８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００４２】開き戸は、スリット入り杉材を使用した無垢杉材、裏面半部にも反対方向のスリットを設けて、寸法として高さ１７００ｍｍ＊幅３９０ｍｍ＊厚さ２７ｍｍの寸法で、上部よりガラリー（幅２１０ｍｍ高さ２１０ｍｍ）、ミストガラス（幅２１０ｍｍ、高さ５２４ｍｍ）、固定桟（幅２１０ｍｍ、高さ６０ｍｍ）、ミストガラス（幅２１０ｍｍ、高さ５２４ｍｍ）、ガラリー（幅２１０ｍｍ高さ３８０ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【実施例６】
【００４３】実施例１と同様にして、前板の材料を桧から杉に変更して製作した。天板は幅８００ｍｍ＊奥行４５０ｍｍの寸法で、厚さ４５ｍｍフラッシュ構造で、前面にスリット入り杉の無垢材を、側面は樹脂テープを、側面は樹脂テープ貼りで、上部面にポリ板を、内側面に防湿機能を持つ合板モイスを使用した。下板は幅７４３ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを６箇所取り付けた。【００４４】裏面は、日光を取り入れるために、２箇所に幅６２８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００４５】開き戸は、材質はスリット入り杉材を使用した無垢杉材、裏面半部にも反対方向のスリットを設けて、寸法として高さ１７００ｍｍ＊幅３９０ｍｍ＊厚さ２７ｍｍの寸法で、上部よりガラリー（幅２１０ｍｍ高さ１２０ｍｍ）、ミストガラス（幅２１０ｍｍ、高さ５３９ｍｍ）、固定桟（幅２１０ｍｍ、高さ６０ｍｍ）、ミストガラス（幅２１０ｍｍ、高さ５３９ｍｍ）、ガラリー（幅２１０ｍｍ高さ２４００ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【符号の説明】
【００４６】Ａ  洗濯物
Ｂ  開きドアー
Ｃ  引き違いドアー
１  天板
２  下板
３  ガラリー
４  背板
５  側板
６  ハンガー吊り下げ棒
７  空気流出口
８  取手
９  キャスター
１０  戸板ガラス
１１  背面ガラス
１２  Ｌ金具
１３  スリット杉材
【図１】
0003194202.tif 000003
【図２】
0003194202.tif 000004
【図３】
0003194202.tif 000005
【図４】
0003194202.tif 000006
【図５】
0003194202.tif 000007
【手続補正書】
【提出日】平成26年8月25日(2014.8.25)
【手続補正１】
【補正対象書類名】実用新案登録請求の範囲
【補正対象項目名】請求項５
【補正方法】変更
【補正の内容】
【請求項５】
スリット入り杉材を使用した開きドア、又は引き違いドアを前面側に備えた物干し家具において、天板と下板に取り付けている乾燥部材は、可逆的に水分を除去できるゼオライト、又は活性炭、又はシリカ、又は珪藻土、又は漆喰、又はバーミキュライトとケイ酸カルシウムとの含有する繊維質材を平板に取り付けた木板であることを特徴とする請求項１〜請求項４のいずれかに記載のスリット杉材を使用した室内用物干し家具。
【手続補正２】
【補正対象書類名】実用新案登録請求の範囲
【補正対象項目名】請求項８
【補正方法】変更
【補正の内容】
【請求項８】
スリット入り杉材を使用した開きドア、又は引き違いドアを前面に備えた物干し家具において、家具の奥行きを４５０ｍｍ〜６００ｍｍにして、ハンガーを斜めに懸けられるように、ハンガー吊り下げ棒に２０°〜４５°の角度にハンガーを懸けていることを特徴とする請求項１〜請求項７のいずれかに記載のスリット杉材を使用した室内用物干し家具。
【手続補正３】
【補正対象書類名】明細書
【補正対象項目名】全文
【補正方法】変更
【補正の内容】
【考案の詳細な説明】
【技術分野】
【０００１】本考案は、物干し洋服タンスとロッカーなどの家具に関するものであり、更に詳細には、一般家庭や、単身女性対象用マンション、住宅等での室内で洗濯物を乾燥させるもので、脳の活性化と窒素酸化物を含む空気の高効率の浄化に役立させ、屋内に設置して用いる物干し洋服タンスとロッカーに関するものである。
【背景技術】
【０００２】従来から、主として一般単身女性の住居であるマンション、住宅での洗濯物の乾燥は、洗濯機にて洗濯脱水をして室内の干し具で乾燥を行うことが一般であったが、晴天時等の湿度が高いときは室内で乾燥させようとしてもなかなか乾燥しにくく、特に共働き、単身女性のような留守がちの家庭では下着盗難、あるいは急な雨降りには対応できず、また、女性の下着等は外に干したくないものであり、更には、花粉症を患っている人は晴天でも外に干せないが実情である。【０００３】また、近年ではドラム式乾燥機や、洗濯機能と乾燥機能を併せ持つ機種が開発され市販されているが、乾燥に時間がかかったり、電気代がかかったりしており、また、洗濯した状態のまま乾燥させるためシワが残り、消費者のニーズを満足させるものでは無かった。一方部屋の森林浴を期待する向きもあり、多忙の中で精神的安定感を望むことも多い。特に脳の活性化或いは癒しと、都会の中の窒素酸化物を含む空気を浄化させる役立を杉材に期待されている。【０００４】衣服の物干し家具としては、送風器付乾燥機に送風手段と、吹き出し口を備えており、風速が速いゾーンを設けたもので、風速が速いゾーン内では、衣類にとって、重なり合った部分にも風を流すことができるものであるが、送風器の動力によって洗濯物をかわかしている（特許文献１参照）。【０００５】衣服の物干し家具としては、除湿機付ユニット型組立式衣料乾燥室であり、温度センサー付き排気ファン及び吸気口を付ける事により、電気の熱源によって乾燥室内部の温度上昇を防ぐものあるが、空気流は単に通り抜けるのみので、電気の熱源（ヒーター）によって衣服の乾燥をおこなっているものである（特許文献２参照）。
箱体内にファン付低湿空気流を循環させる除湿乾燥ユニットを備えて、上昇流と下降流を構成するものであるが、空気流は循環しているだけのもので、ファンの動力を使用しているために効率的とは言えないものである（特許文献３〜４参照）。しかし電気の動力源を使用しないものは存在しない。また杉の効果である森林浴を期待する向きもあり、多忙の中で精神的安定感を望むような家具を持つ部屋はもたらされていない。
【先行技術文献】
【特許文献】
【０００６】
【特許文献１】特開２００１−３４７１００号公報
【特許文献２】特開２００４−２８３３８０号公報
【特許文献３】特開２００５−３２９１０４号公報
【特許文献４】登録実案３１３５０８７号公報
【考案の概要】
【考案が解決しようとする課題】
【０００７】単身女性の住居であるマンション、住宅での洗濯物の乾燥は、洗濯機にて洗濯脱水をして室内の干し具で乾燥を行うことが一般であったが、晴天時等の湿度が高いときは室内で乾燥させようとしてもなかなか乾燥しにくく、特に共働き、単身女性のような留守がちな家庭では下着盗難、あるいは急な雨降りには対応できず、また、女性の下着等は外に干したくないものであり、更には、花粉症を患っている人は晴天でも外に干せないが実情である。従来の物干し家具の場合には、ほとんど電気の動力源を使用して、無人で使用することは安全面から問題があった。また部屋内において、脳の活性化、気分転換、癒しができて、部屋の汚染物質を含む空気を高い効率で浄化できる家具が期待されている。【０００８】室内で整頓して洗濯物を干して、独身女性にとって盗難などの心配をせずに洋服タンス、あるいはロッカーとして使用できるものである。また加熱部またはファンを取り付けず、割合短い期間で乾燥できるようにしている。一方単身の女性においては、部屋の森林浴を期待する向きもあり、多忙の中で精神的安定感を望むことも多い。特に脳の活性化或いは癒しと、都会の中の窒素酸化物を含む空気を浄化させる役立を杉材などの自然の木材に期待している。
【課題を解決するための手段】
【０００９】物干し家具において、前面側にスリット入り杉材を使用した開きドア、又は引き違いドアにしていることと、直接日光の照射と空気の流入出によって洗濯物を容易に乾燥できるように、裏面側に透明性の材料の取り付けと空気流入口２〜３箇所の空間部とを設けていることと、天板部と下板部の内面に調湿機能を持つ部材を取り付けて、家具の側面と天板と下板をフラッシュ構造にして、家具の側面内部には遠赤外線を発する材料を塗布していることと、当該家具の天板の直下中央に横設したハンガー吊り下げ棒をとりつけて、底部に移動を可能にしたキャスターとを設けているスリット杉材を使用した室内用物干し家具である。【００１０】スリット入り杉材を使用した開きドア、又は引き違いドアは、杉平面板材の杢目方向に３ｍｍ〜１０ｍｍの幅、３ｍｍ〜１０ｍｍの深さのスリット溝状で刻設して、前面側全体の３０％〜６０％で表面と裏面の両面にスリット溝状を縦横に施し、貫通開口部分を設けている。【００１１】スリット入り杉材を使用した開きドア、又は引き違いドアを前面側に備えた物干し家具において、裏面側に日光により乾燥できるように透明性の材料を使用して、空気流入口２〜４箇所の空間部として、裏面の面積に対して１０％〜５０％を開口されている。【００１２】物干し家具において、日光照射により洗濯物が乾燥できるように裏面側に取り付けている透明性、又は半透明の材料は、ガラス、アクリル樹脂、ポリカーボネート樹脂から選ばれた一種類であって、耐強度から厚さ３ｍｍ〜５ｍｍである。【００１３】スリット入り杉材を使用した開きドア、又は引き違いドアを前面側に備えた物干し家具において、天板と下板に取り付けている乾燥部材は、可逆的に水分を除去できるゼオライト、又は活性炭、又はシリカ、又は珪藻土、又は漆喰、又はバーミキュライトとケイ酸カルシウムとの含有する繊維質材を平板に取り付けた木板である。【００１４】スリット入り杉材を使用した開きドア、又は引き違いドアを前面に備えた物干し家具の側板、天板、下板において、内部を中空にしているフラッシュ構造にして、表面の板に樹脂を張った合板（ポリ合板）、又は桐材にして、当該家具の内面に動植物プランクトン化石でできている遠赤外線放射粒状物を塗布している。【００１５】スリット入り杉材を使用した開きドア、又は引き違いドアを前面に備えた物干し家具において、天板の直下中央に横設したハンガー吊り下げ棒は、スチール製、または樹脂製のパイプで、天板から５０ｍｍ〜１００ｍｍの位置に取り付けて、前記の位置から下部に２００ｍｍ〜３００ｍｍの間隔で２〜３箇所にハンガー吊り下げ棒を固定できる留め具を取り付け、底部に移動を可能にしたキャスターを設けている。【００１６】スリット入り杉材を使用した開きドア、又は引き違いドアを前面に備えた物干し家具おいて、家具の奥行きを４５０ｍｍ〜６００ｍｍにして、ハンガーを斜めに懸けられるように、ハンガー吊り下げ棒に２０°〜４５°の角度にハンガーを懸けている。【００１７】本考案の物干し用家庭家具は、前述の課題に鑑み、鋭意研鑽の結果、家具の裏面を日光を取り入れて、加熱部なして水分を除去できるようにしている。開きドア、又は引き違いドアを備えた洋服タンス、ロ��カーにおいて、開きドア、又は引き違いドアの一側下方辺に形成した空気流入口と、仕切るように間隔を有して配設された木製ガラリ（複数のパウチング板）と、側板に横設したハンガー吊り下げ棒と、前面の複数のパウチング板と裏面の空間には空気流入口がら流入して空気流出口で排気される間の空気流を上下と共に前後に流動させるように開口部を設けたものである。【００１８】使用可能な具体的なスギの種類としては、例えば、小国杉、屋久杉、飫肥杉、神代杉、春日杉、吉野杉、秋田杉、土佐杉、御山杉、霧島杉、市房杉、日光杉、北山杉、日田杉、天竜杉、などがある。【００１９】杉材の表面において、二酸化窒素は空気中の水分と反応して硝酸と亜硝酸になり、木材内部に沈着する。杉材の表面においては、この反応が極めて速い速度で進むため、杉が二酸化窒素を高い効率で浄化できると考えられる。杉材は、その内部に様々な微量成分を含有することが知られている。例えば、スギがジテルペン、トリテルペン、セスキテルペン、フラボノイド、リグナンなどを含有することが研究されている。このような杉の成分が、脳の活性化と窒素酸化物を含む空気の高効率の浄化に役立っていると考えられる。【００２０】また杉は一般に、長い繊維を有するが、木口面においては、その長い繊維の断面が露出されることになり、この断面から木材の深い部分にまで空気が入りやすい。このことも、窒素酸化物の浄化に役立っていると考えられる。【００２１】また針葉樹は一般に、仮導管が均一に配列し、木口面においては、その長い繊維の横断面が露出されることになり、この断面から木材の深い部分にまで空気が入りやすい。このことも、空気の浄化に役立っていると考えられる。スリット入り杉材は、平滑な略正方形又は略長方形の杉平面板材の大きさにして、裏面には３〜１０ｍｍの幅、３〜１０ｍｍの深さで溝状刻設して、表面には表面加工した平滑な杉板材にした付け替え天板を嵌め込み式平板体にして、既存天板との間に２〜５ｍｍの隙間を持って設置できる構造になっている。
【考案の効果】
【００２２】本考案の物干し家庭家具は、開きドア、又は引き違いドアを前面に備えた家具で、スイングドアを備えた洋服タンス、ロッカーに、裏面に日光光線の照射と家具内部に調湿材と遠赤外線照射材を取り付けて、さらに空気流入口と、表面に複数のガラリーを取り付けて乾燥を速めている。【００２３】また内部にハンガー吊り下げ棒と、空気流出口と、ガラリーによって空気流入口から流入して空気流出口で排気される間の空気流を上下と裏側に数箇所の排気口の開口部を設けたことにより、家具内の乾燥補助材と空気流を高効率で利用して乾燥させることが可能であり、且つ、ハンガーに吊した状態で乾燥させることができシワができにくく、また、共働きのような家庭では昼間に天気のよいときは、家具内の洗濯物は乾燥しており、加えて、梅雨や湿気の多い日にもハンガーに吊すだけによって約一日で乾燥できる。【００２４】また軽量で移動も簡単にでき、室内、室外の種々の場所に置くことができる画期的で実用性の高い考案である。特に独身女性が下着類の物干しの恥ずかしさと盗難防止しには効果を示した。また部屋内において、脳の活性化、気分転換、癒しができて、部屋の汚染物質を含む空気を高い効率で浄化できる。精神的安定感を、脳の活性化或いは癒しと、都会の中の窒素酸化物を含む空気を浄化させた。【００２５】表面に間伐材の杉の板を用いて資源のリサイクルに貢献でき、木材加工経費が安く済む点でも非常に有利である。また杉材のスリット溝構造は空気の浄化については、脳の活性化と環境改善によって作業の向上がもたらされる。汚染物質との吸着による浄化できる。そのうち、杉木口面との反応による浄化能力は、辺材、心材に関係なくほぼ一定の値で長時間持続される。
【図面の簡単な説明】
【００２６】
【図１】スリット入り杉材を使用した開きドア付き物干し用家庭家具（開きドア）の一般的の斜視図である。
【図２】スリット入り杉材を使用した開きドア付き物干し用家庭家具（開きドア）の使用状態図である。
【図３】スリット入り杉材を使用した開きドア付き物干し用家庭家具（開きドア）の正面図である。
【図４】物干し用家庭家具（開きドア）の背面図である。
【図５】物干し用家庭家具（開きドア）の側面図である。
【考案を実施するための形態】
【００２７】以下、本考案の物干しロッカーの実施例の図面によって具体的に説明すると、図１は本考案の物干し家庭家具（開きドア）の一般的の斜視図であり、図２は本考案の物干し用家庭家具（開きドア）の使用状態図であり、図３は本考案の物干し用家庭家具（開きドア）のの正面図で、図４は物干し用家庭家具（開きドア）の背面図で、図５は物干し用家庭家具（開きドア）の側面図である。
【実施例１】
【００２８】図１に示すように、天板は幅８００ｍｍ＊奥行４５０ｍｍの寸法で、厚さ４５ｍｍフラッシュ構造で、前面にスリット入り杉材を使用した無垢杉材を、側面には部分的にスリット入り杉材を使用した無垢杉材を貼りで、上部面にポリ板を、内側面に防湿機能を持つバーミキュライトとケイ酸カルシウムとの含有する繊維質材［三菱マテリアル製モイス（登録商標）板］を使用した。下板は幅７４８ｍｍ＊奥行４１３ｍｍの寸法で、厚さ３０ｍｍのフラッシュ構造で、内側面に防湿機能を持つ合モイスを、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを３箇所取り付けた。【００２９】裏面は、日光を取り入れるために、２箇所に幅６８８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３０】開き戸は、前面にスリット入り杉材を使用した無垢杉材、裏面半部にも反対方向のスリットを設けて、通気性が得られるようになっており、寸法として高さ１７００ｍｍ＊幅３９０ｍｍ＊厚さ２７ｍｍの寸法で、の順番で配置したものを二枚使用した。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【実施例２】
【００３１】実施例１と同様にして、開き戸を引き違いに変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つ合板モイスを使用した。下板は幅７４８ｍｍ＊奥行４１３ｍｍの寸法で、厚さ３０ｍｍのフラッシュ構造で、前面材を樹脂テープ貼りで、内側面に防湿機能を持つバーミキュライトとケイ酸カルシウムとの含有する繊維質材［三菱マテリアル製モイス（登録商標）板］に、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを６箇所取り付けた。【００３２】裏面は、日光を取り入れるために、２箇所に幅６８８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３３】開き違い戸は、寸法として高さ１６８４ｍｍ＊幅３８９ｍｍ＊厚さ２７ｍｍの寸法のものを２枚取り付け、一枚の扉の上部よりスリット入り杉材を使用した無垢杉材、裏面半部にも反対方向のスリットを設けて、通気性が得られるようになっており、上段に片面に、下段に両面の順番で配置したものにした。部屋の内部の移動が簡単に出来るように，下板面に４個のキャスターを取り付けた。本体の内部には内容の洗濯物の乾燥を促進させるために、ＦＴＳ（遠赤外線放射材）をスプレーによって全面に散布した。
この中に、単身の女性用に、タオル、下着、寝間着の７枚を干して、窓際においていたら、５時間後に完全に乾燥していた。
【実施例３】
【００３４】実施例１と同様にして、高さを変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つ合板モイスを使用した。下板は幅７４８ｍｍ＊奥行４１３ｍｍの寸法で、厚さ３０ｍｍのフラッシュ構造で、前面材を樹脂テープ貼りで、内側面に防湿機能を持つバーミキュライトとケイ酸カルシウムとの含有する繊維質材［三菱マテリアル製モイス（登録商標）板］に、下外面はポリ板を使用した。側板は高さ１４５５ｍｍ＊幅４１３ｍｍ＊厚さ２５ｍｍの寸法のフラッシュ構造で、側・内ともにポリ板を使用して、内部にはパイプ受けを６箇所取り付けた。【００３５】裏面は、日光を取り入れるために、２箇所に幅６８８ｍｍ＊高さ４２１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３６】開き戸は、スリット入り杉材を使用した無垢杉材、裏面半部にも反対方向のスリットを設けて、寸法として高さ１４００ｍｍ＊幅３９０ｍｍ＊厚さ２７ｍｍの寸法で、上部よりガラリー（幅２１０ｍｍ高さ１２０ｍｍ）、ミストガラス（幅２１０ｍｍ、高さ３８９ｍｍ）、固定桟（幅２１０ｍｍ、高さ６０ｍｍ）、ミストガラス（幅２１０ｍｍ、高さ３８９ｍｍ）、ガラリー（幅２１０ｍｍ高さ２４０ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。この中に、単身の女性用に、タオル、下着、寝間着の７枚を干して、窓際においていたら、５時間後に完全に乾燥していた。
【実施例４】
【００３７】実施例１と同様にして、裏面の構造を変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つバーミキュライトとケイ酸カルシウムとの含有する繊維質材［三菱マテリアル製モイス（登録商標）板］を使用した。下板は幅７４３ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１４５５ｍｍ＊幅４１３ｍｍ＊厚さ２５ｍｍの寸法のフラッシュ構造で、側・内ともにポリ板を使用して、内部にはパイプ受けを６箇所取り付けた。【００３８】裏面は、日光を取り入れるために、２箇所に幅６８８ｍｍ＊高さ３８９ｍｍ＊厚さ４ｍｍのミストガラスを枠内に入れて固定した。また裏面の上段部（幅７４８ｍｍ＊高さ１９０ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００３９】引き違い戸は、スリット入り杉材を使用した無垢杉材、裏面半部にも反対方向のスリットを設けて、寸法として高さ１３８４ｍｍ＊幅３９０ｍｍ＊厚さ２７ｍｍの寸法で、上部よりガラリー（幅２１０ｍｍ、高さ２１０ｍｍ）、ミストガラス（幅２０９ｍｍ、高さ３７７ｍｍ）、固定桟（幅２１０ｍｍ、高さ６０ｍｍ）、ミストガラス（幅２０９ｍｍ、高さ３７７ｍｍ）、ガラリー（幅２１０ｍｍ高さ２４０ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。この中に、単身の女性用に、タオル、下着、寝間着の７枚を干して、窓際においていたら、５時間後に完全に乾燥していた。
【実施例５】
【００４０】実施例１と同様にして、扉の前面のガラリーを変更して製作した。天板は幅８００ｍｍ＊奥行４５０ｍｍの寸法で、厚さ４５ｍｍフラッシュ構造で、前面にスリット入り杉材を使用した無垢杉材を、側面は樹脂テープ貼りで、上部面にポリ板を、内側面に防湿機能を持つバーミキュライトとケイ酸カルシウムとの含有する繊維質材［三菱マテリアル製モイス（登録商標）板］を使用した。下板は幅７４３ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを６箇所取り付けた。【００４１】裏面は、日光を取り入れるために、２箇所に幅６８８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００４２】開き戸は、スリット入り杉材を使用した無垢杉材、裏面半部にも反対方向のスリットを設けて、寸法として高さ１７００ｍｍ＊幅３９０ｍｍ＊厚さ２７ｍｍの寸法で、上部よりガラリー（幅２１０ｍｍ高さ２１０ｍｍ）、ミストガラス（幅２１０ｍｍ、高さ５２４ｍｍ）、固定桟（幅２１０ｍｍ、高さ６０ｍｍ）、ミストガラス（幅２１０ｍｍ、高さ５２４ｍｍ）、ガラリー（幅２１０ｍｍ高さ３８０ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。この中に、単身の女性用に、タオル、下着、寝間着の７枚を干して、窓際においていたら、５時間後に完全に乾燥していた。
【実施例６】
【００４３】実施例１と同様にして、前板の材料を桧から杉に変更して製作した。天板は幅８００ｍｍ＊奥行４５０ｍｍの寸法で、厚さ４５ｍｍフラッシュ構造で、前面にスリット入り杉の無垢材を、側面は樹脂テープを、側面は樹脂テープ貼りで、上部面にポリ板を、内側面に防湿機能を持つバーミキュライトとケイ酸カルシウムとの含有する繊維質材［三菱マテリアル製モイス（登録商標）板を使用した。下板は幅７４３ｍｍ＊奥行４１３ｍｍの寸法で、厚さ３０ｍｍのフラッシュ構造で、前面材を樹脂テープ貼りで、内側面に防湿機能を持つ合モイスに、下外面はポリ板を使用した。側板は高さ１７５５ｍｍ＊幅４１３ｍｍ＊厚さ２５ｍｍの寸法のフラッシュ構造で、側・内ともにポリ板を使用して、内部にはパイプ受けを６箇所取り付けた。【００４４】裏面は、日光を取り入れるために、２箇所に幅６２８ｍｍ＊高さ５７１ｍｍ＊厚さ４ｍｍのミストガラスを枠内に入れて固定した。また裏面の上段部（幅７４８ｍｍ＊高さ２００ｍｍ）と中段部（幅７４８ｍｍ＊高さ２００ｍｍ）と下段部（幅７４８ｍｍ＊高さ３０ｍｍ）の３箇所に空間部を設けて空気流入口にした。【００４５】開き戸は、材質はスリット入り杉材を使用した無垢杉材、裏面半部にも反対方向のスリットを設けて、寸法として高さ１７００ｍｍ＊幅３９０ｍｍ＊厚さ２７ｍｍの寸法で、上部よりガラリー（幅２１０ｍｍ高さ１２０ｍｍ）、ミストガラス（幅２１０ｍｍ、高さ５３９ｍｍ）、固定桟（幅２１０ｍｍ、高さ６０ｍｍ）、ミストガラス（幅２１０ｍｍ、高さ５３９ｍｍ）、ガラリー（幅２１０ｍｍ高さ２４００ｍｍ）の順番で配置したものにした。移動が簡単に出来るように，下板面に４個のキャスターを取り付けた。本体の内部には内容の洗濯物の乾燥を促進させるために、ＦＴＳ（遠赤外線放射材）をスプレーによって全面に散布した。この中に、単身の女性用に、タオル、下着、寝間着の７枚を干して、窓際においていたら、５時間後に完全に乾燥していた。
【符号の説明】
【００４６】Ａ  洗濯物
Ｂ  開きドアー
Ｃ  引き違いドアー
１  天板
２  下板
３  ガラリー
４  背板
５  側板
６  ハンガー吊り下げ棒
７  空気流出口
８  取手
９  キャスター
１０  戸板ガラス
１１  背面ガラス
１２  Ｌ金具
１３  スリット杉材